(57)【要約】【課題】  本発明は読取装置の有する最大読取幅よりも大きな幅の原稿、もしくは2枚の両面印刷原稿を重ね合わせた原稿対を、裏写りすることなく読み取ることができる両面読取用キャリアシートを提供することを課題とする。【解決手段】  原稿読取装置１５が、原稿の読み取り幅に関して自身の最大読取能力よりも大きな幅の原稿を読み取る動作を支援する両面読取用キャリアシート１であって、２枚の透明シート２と１枚の不透明シート３とを有し、これら３枚のシートはいずれも矩形で略同サイズであり、一方の透明シート２の略全面を覆うように不透明シート３が積層され、その不透明シート３の略全面を覆うように他方の透明シート２が積層されてシート積層体が構成され、このシート積層体は長手方向の一方側のみにおいて短手方向全長にわたって相互に貼り合わされていることを特徴とする両面読取用キャリアシート１。【選択図】  図４
2006191292.tif 000002
【特許請求の範囲】
【請求項１】
一対の透明シートの間に不透明シートが挟まれていることを特徴とする両面読取用キャリアシート。
【請求項２】
原稿読取装置の有する原稿自動搬送装置が一回の原稿送り動作を行うときに、原稿の表裏両面を読み取る装置であって、前記両面読取用キャリアシートはこの原稿読取装置において使用されるものであることを特徴とする請求項1記載の両面読取用キャリアシート。
【請求項３】
前記各透明シートと前記不透明シートとは、いずれも矩形で略同サイズであることを特徴とする請求項1または2に記載の両面読取用キャリアシート。
【請求項４】
前記各透明シートと前記不透明シートとは、少なくとも長手方向の一方側の短辺において相互に貼り合わされていることを特徴とする請求項３記載の両面読取用キャリアシート。    
【請求項５】
前記不透明シートの短辺の長さは前記透明シートの短辺の長さよりも短く、不透明シートの短手方向の一方側の長辺は、透明シートの短手方向の一方側の長辺よりも内側にあり、その不透明シートにより挟みこまれた原稿の位置決めを行うことを特徴とする請求項４記載の両面読取用キャリアシート。
【請求項６】
前記不透明シートは黒色であることを特徴とする請求項５記載の両面読取用キャリアシート。
【請求項７】
前記不透明シートは鏡面であることを特徴とする請求項５記載の両面読取用キャリアシート。
【請求項８】
前記不透明シートは白色であることを特徴とする請求項５記載の両面読取用キャリアシート。
【発明の詳細な説明】
【技術分野】
【０００１】
本発明は、原稿読取装置が原稿の画像を読み取ることができるように、その読取動作を支援する両面読取用キャリアシートに関する。
【背景技術】
【０００２】
自動原稿搬送装置（Auto  Document  Feeder、以下「ADF」と略記）を備えた原稿読取装置が従来から存在しているが、この原稿読取装置が読み取ることのできる原稿の最大サイズは予め決められている。たとえば、小型のファクシミリ装置または複写機に備えられた原稿読取装置では、読み取ることのできる原稿幅がＡ４サイズ（２１０ｍｍ×２９７ｍｍ）の短手長さ（２１０ｍｍ）までに決められていることが多い。したがって、これよりも広い幅を有する原稿、具体的にはＡ３サイズ（２９７ｍｍ×４２０ｍｍ）の原稿を、上記のファクシミリ装置や複写機によって直接に読み取ることはできなかった。
【０００３】
そこで、原稿読取装置が、原稿の幅に関して自身の最大読取能力よりも大きなサイズの原稿を読み取ることができるように、その読取動作を支援するキャリアシートが従来から利用されている。図９はこの従来のキャリアシート９を示す斜視図であり、図１０はキャリアシート9の使用態様を示す図である。このキャリアシート９は、重ね合わされた２枚のプラスチックシート９ａの一端部を結合したものであり、半分に折り曲げた広幅原稿（以下「折曲原稿」という）を２枚のプラスチックシート９ａの間に挟みこんだ状態で、ＡＤＦによって搬送しながら原稿の画情報を読み取っている。この読み取りは２枚のプラスチックシート９ａの表裏両面に対して行われ、それにより読取装置の有する最大読取幅よりも大きな幅の原稿の画情報が読み取られる。
【０００４】
このキャリアシート９に関する発明が、特許文献１〜４に開示されている。
【特許文献１】実開昭６２−７７９５５号公報
【特許文献２】実開昭６３−１２９３６８号公報
【特許文献３】特開平２−１３１０６７号公報
【特許文献４】特開平１１−３２１６０号公報
【発明の開示】
【発明が解決しようとする課題】
【０００５】
前記キャリアシート９に前記折曲原稿を積層した状態においては、折曲原稿はキャリアシート９に支持されているので、前記小型の原稿読取装置で読み取りを行うことが可能となる。
【０００６】
ところが、両面印刷されている原稿、たとえば原稿読取装置の読み取り可能な原稿サイズよりも大きい新聞紙などを、半分に折り曲げて読み取ると、読み取りを行った折曲原稿の外側の面（以下「外面」という）の画情報に、前記折曲原稿の内側の面（以下「内面」という）の画情報が混在した状態で読み取られてしまう不具合現象（以下「裏写り」という）が発生する。この裏写りが発生すると、正確な（外面のみの）画情報が読み取れず、読取不良、現像不良を引き起こしてしまう。
【０００７】
裏写りの発生原因は次のとおりである。両面に画情報が印刷された原稿（以下「両面印刷原稿」という）であり、中央で半分に折り曲げられた原稿（以下「両面印刷折曲原稿」という）を、前記プラスチックシート９ａに積層する。そして、両面印刷折曲原稿の一方の外面に印刷された画情報ａを原稿読取装置で読み取る。その際、両面印刷折曲原稿の一方の外面に印刷された画情報ａを読み取る目的で光源から照射された光が、両面印刷折曲原稿の一方の外面で反射することにより、その外面に印刷されている画情報ａが読み取られる。しかし、照射された一部の光は両面印刷折曲原稿の一方の面を透過して、両面印刷折曲原稿の他方の内面で乱反射する。この乱反射により両面印刷折曲原稿の一方の内面に印刷された画情報ｂと、他方の内面に印刷された画情報ｃとが読み取られる。この様にして原稿読取装置で読み取られた画情報は、3つの面に印刷された画情報ａ、画情報ｂ、画情報ｃが混在（裏写り）したものであり、ユーザの目的とする画情報ａとは異なる。
【０００８】
また、前記裏写りの問題は、２枚の両面印刷原稿を重ね合わせて読み取るときにも発生する。例えば、一方の両面印刷原稿の表面と、他方の両面印刷原稿の表面の画情報を読み取り、読み取った２面の画情報を１枚の原稿の表裏に印刷する場合は、２枚の両面印刷原稿の裏面同士を合わせ、それらの表面が外側になるようにして重ね（以下「重ね合せ原稿」という）キャリアシートに挟み込み、ＡＤＦでそのキャリアシートの読み取りを行う。このとき、内側（各両面印刷原稿の裏面側）の画情報が裏写りとしてＡＤＦにより読み取られることがある。
【０００９】
したがって、本発明は読取装置の有する最大読取幅よりも大きな幅の原稿、もしくは2枚の両面印刷原稿を重ね合わせた原稿対を、裏写りすることなく読み取ることができる両面読取用キャリアシートを提供することを課題とする。
【課題を解決するための手段】
【００１０】
本発明の両面読取用キャリアシートは、一対の透明シートの間に不透明シートが挟まれていることを特徴とする。
【００１１】
また、本発明は、原稿読取装置の有する原稿自動搬送装置が一回の原稿送り動作を行うときに、原稿の表裏両面を読み取る装置であって、前記両面読取用キャリアシートはこの原稿読取装置において使用されるものであることを特徴とする。
【００１２】
また、本発明は、前記各透明シートと前記不透明シートとは、いずれも矩形で略同サイズであることを特徴とする。
【００１３】
また、本発明は、前記各透明シートと前記不透明シートとは、少なくとも長手方向の一方側の短辺において相互に貼り合わされていることを特徴とする。
【００１４】
また、本発明は、前記不透明シートの短辺の長さは前記透明シートの短辺の長さよりも短く、不透明シートの短手方向の一方側の長辺は、透明シートの短手方向の一方側の長辺よりも内側にあり、その不透明シートにより挟みこまれた原稿の位置決めを行うことを特徴とする。
【００１５】
また、本発明の前記不透明シートは黒色であることを特徴とする。
【００１６】
また、本発明の前記不透明シートは鏡面であることを特徴とする。
【００１７】
また、本発明の前記不透明シートは白色であることを特徴とする。
【発明の効果】
【００１８】
本発明の両面読取用キャリアシートによれば、原稿読取装置が、原稿の読み取り幅に関して自身の最大読取能力よりも大きな幅の原稿を読み取ることが可能になる。また、折り曲げた原稿、もしくは重ね合わせた2枚の原稿対の内側に不透明シートを積層して読み取るので、光透過率の高い材質の原稿であっても、裏写り現象を発生させること無く画情報を取り込むことができる。
【００１９】
本発明の両面読取用キャリアシートによれば、原稿を挟み込む２枚のシートは透明であるので、原稿自動搬送装置が一回の原稿送り動作を行うときに、原稿の表裏両面を読み取るものであっても、なんら支障なく原稿を読み取ることができる。
【００２０】
本発明の両面読取用キャリアシートによれば、不透明シートの短辺の長さは前記透明シートの短辺の長さよりも短く、不透明シートの短手方向の一方側の長辺は、透明シートの短手方向の一方側の長辺よりもわずかに内側にあるので、折り曲げた原稿を両面読取用キャリアシートにセットするときの位置決めを容易に行うことができ、ユーザが結合位置を都度調整する手間が省ける。
【００２１】
本発明の両面読取用キャリアシートによれば、不透明シートは黒色であるので、原稿の表面の画情報を読み取る目的で光源から照射された光が原稿を透過しても、前記不透明シートがその透過光を吸収するので、裏写り現象の一要因である透過光の乱反射を防ぐことができる。
【００２２】
本発明の両面読取用キャリアシートによれば、不透明シートは鏡面であるので、原稿の表面の画情報を読み取る目的で光源から照射された光が原稿を透過しても、前記不透明シートがその透過光の大半を読み取り部より外へ反射するので、裏写り現象の一要因となる透過光による反射光が、読み取り部へ入射することを防止することができる。
【００２３】
本発明の両面読取用キャリアシートによれば、不透明シートは白色であるので、規格されたカット紙サイズに満たない折曲原稿、または重ね合せ原稿を読み取る場合において、白色シートは折曲原稿、または重ね合せ原稿のカット紙サイズに満たない部分の画情報として読み取られる。それにより原稿は規格されたカット紙サイズとして読み取られ、Ｆａｘ送信や複写の際に良好なサイズの画情報が形成される。
【発明を実施するための最良の形態】
【００２４】
以下、図面を参照して本発明の実施の第一の実施形態について説明する。図５はファクシミリなどの通信端末装置１０の斜視図を示す。通信端末装置１０の上部には、原稿の読み取りを行う原稿読取装置１１が設けられており、その上面が図示しない透明ガラス板で構成されている。そのガラス板の上面に載置された原稿が原稿読取装置１１により読み取られる。このガラス板の上面を覆うように原稿押さえカバー１２が設けられており、この原稿押さえカバー１２により原稿読み取り時の原稿のずれが防止される。この原稿押さえカバー１２の上面には原稿排出トレイ１３が形成され、その上方には原稿トレイ１４が配設されている。原稿押さえカバー１２の一端部に、ＡＤＦ１５が配設されている。ＡＤＦ１５は、原稿トレイ１４と原稿排出トレイ１３とに隣接するように配設されており、原稿トレイ１４に載置された原稿は、ＡＤＦ１５により自動搬送され、原稿読取装置１１によりデータとして読み取られ、原稿排出トレイ１３へ排出される。
【００２５】
原稿トレイ１４には、原稿搬送方向と垂直な方向に可動する1対の原稿ガイド１６が設けられている。この原稿ガイド対の最大間隔は原稿読取装置１１が読み取ることのできるカット紙規格（Ａ４サイズ、B５サイズなど）の最大寸法よりも少し大きく設計されている。
【００２６】
図１は本発明の両面読取用キャリアシート１の斜視図である。両面読取用キャリアシート１は、２枚の透明シート２と、１枚の不透明シート３とを有し、これら３枚のシートは結合部４で一体化されている。２枚の透明シート２は矩形形状を有しており、その大きさは別途規定されているカット紙規格（Ａ４サイズ、B５サイズなど）よりも少し大きいサイズであり、好ましくは前記カット紙規格よりも３〜７ｍｍ大きいサイズである。また不透明シート３の形状も矩形形状を有しており、その大きさはカット紙規格サイズと同じ、もしくは若干大きいサイズであり、透明シートよりも小さいサイズである。好ましくは前記カット紙規格に比べ０〜３ｍｍ大きいサイズである。
【００２７】
次に両面読取用キャリアシート１の積層状態について述べる。一方の透明シート２のほぼ全面を覆うように不透明シート３が積層されその不透明シート３のほぼ全面を覆うように他方の透明シート２が積層されてシート積層体としての両面読取用キャリアシート１が構成され、この両面読取用キャリアシート１は長手方向の一方側の結合部４でのみ短手方向全長にわたって相互に貼り合わされている。
【００２８】
また図２に示すように、不透明シート３の短辺の長さは透明シート２の短辺の長さよりも短く、不透明シート３の短手方向の一方側の長辺５は、透明シート２の短手方向の一方側の長辺６よりも内側にある。
【００２９】
図３は原稿読取装置１１の最大読取能力よりも大きなサイズの原稿を長手方向の中央で半分に折り曲げた状態である。折曲原稿７の外面は読み取りを行う画情報が印刷されている。また、この状態で折曲原稿７の内面の読み取りは行わないが、この内面に画情報が印刷されていることもある。
【００３０】
原稿のセットされた両面読取用キャリアシート１をＡＤＦ１５で読み取らせるときには、通常の原稿読み取り作業と同じ作業で読み取りを行うことができる。図5に示す通信端末装置１０の原稿トレイ１４に設けられた1対の原稿ガイド１６を、読み取りを行う両面読取用キャリシート１の幅とほぼ等しい間隔に調整する。そして、原稿トレイ１４上面であり、調整された原稿ガイド対１６の間に図4に示す折曲原稿7を挟み込んだ両面読取用キャリアシート１をセットする。その際、ＡＤＦ１５側に両面読取用キャリアシート１の結合部４が来るようにする。この両面読取用キャリアシート１を、ＡＤＦ１５が搬送し原稿読取装置１１で読み取る。
【００３１】
また、折曲原稿７の間に不透明シート３を積層しているので、両面印刷折曲原稿の一方の外面の画情報を読み取る目的で、光源から照射された光が原稿を透過しても、不透明シート３は光を透過させないので、折曲原稿7の他方の内面に画情報が記録されているときでも、その画情報が読み取られることが無い。これにより裏写り現象の発生が抑制される。
【００３２】
次に、取り込まれた両面印刷折曲原稿の画処理が行われる。1つの画情報の記録された原稿を折り曲げて取り込むので、前記1つの画情報は２つに分割されて原稿読取装置に取り込まれている。そこで、ユーザはそれらのデータを結合して元の原稿の画情報を再現する作業が必要となる。前記結合は、端末内においてデータの状態で電気的に行われ、もしくはデータが用紙に印刷された後で手作業により行われる。ここでデータを結合する際には、データの欠乏を防ぐため、継ぎ目を正確に確定し、継ぎ合わせなければならない。しかし、図９、図１０に示すプラスチックシート９ａには折曲原稿を位置決めするための機構がなく、プラスチックシート９ａと折曲原稿７の相対位置が頻繁に変化してしまう。それゆえ、結合時には、ユーザが結合位置を都度確認する手間や、その結合位置となる原稿端を検出する機能が必要であった。
【００３３】
本発明の両面読取用キャリアシート１では、図４に示すよう折曲原稿７をセットすることができる。ユーザは折曲原稿７の内側に不透明シート３を挟み込むようにセットする。また、ユーザは原稿の折曲部８はその内側が前記不透明シート３の短手方向の一方側の長辺５に当接するように、そして原稿の折り曲げられている一方の辺１７は両面読取用キャリアシート１の結合部４に内側から当接するようにセットし、これらを２枚の透明シート２で挟み込む。このようにセットすることによりユーザは、折曲原稿７を両面読取用キャリアシート１の一定の位置に簡単にセットすることが可能である。また、このようにセットした折曲原稿を読み取ることにより得られるデータは、一定の位置に画情報が形成されているので、ユーザがデータを結合する際に、結合位置を都度確認する手間が省ける。また、結合位置となる原稿端を検出する機能をもつ必要がなくなる。
【００３４】
さらに、本発明の両面読取用キャリアシート１によれば、原稿を挟み込む２枚の透明シート２は透明であるので、図８に示す1つの搬送路内に、原稿読取装置の読取部１１ａにより原稿の一方の面の画情報の読み取りを行うＰ１部と、密着型イメージセンサ（Contact Image Sensor）２０で原稿の他方の面の画情報の読み取りを行うＰ２部とを有し、1回の搬送で原稿の表裏両面の読み取りを行うＡＤＦ１５ａにおいても、なんら支障なく原稿を読み取ることができる。
【００３５】
次に図６、図７に示す本発明の第二、第三、第四の実施形態について説明する。この実施形態の両面読取用キャリアシート１ａ、1ｂ、１ｃは、先の実施形態の両面読取用キャリアシート１と基本的な構造は同じである。よって、この両面読取用キャリアシート１ａ、１ｂ、１ｃに特有の構成についてのみ以下に説明し、共通の構成については両面読取用キャリアシート１と同じであるので、同じ参照符号を付して説明を省略する。
【００３６】
図６に示すように、本発明の第二の実施形態である両面読取用キャリアシート１ａの不透明シート３ａは、黒色のシートからなる。不透明シート３ａが黒色であるので、光源から照射された光が原稿を透過しても、不透明シート３ａが透過光を吸収し、透過光の乱反射をなくすことができる。この作用により裏写り現象の発生が防止される。
【００３７】
次に本発明の第三の実施形態である両面読取用キャリアシート１ｂの不透明シート３ｂは、鏡面のシートからなる。不透明シート３ｂが鏡面であるので、光源から照射された光が原稿を透過しても、不透明シート３ｂが透過光を原稿読取装置の読取部より外に反射させるので、裏面からの反射光は前記読取部１０に読み取られない。この作用により裏写り現象の発生が防止される。
【００３８】
図７に示すように、本発明の第四の実施形態であるキャリアシート１ｃの不透明シート３ｃは、白色のシートからなる。規格されたカット紙サイズに満たない折曲原稿7ａを読み取る場合において、白色シートは規格されたカット紙サイズであるので、そのシート自体が両面印刷折曲原稿７ａのカット紙に満たない部分の画情報として読み取られる。それによりカット紙サイズに満たない原稿でも、規格されたカット紙サイズとして読み取られ、Ｆａｘ送信や複写の際に良好なサイズの画情報が形成される。また、白色シートが折曲原稿の内側に挟み込まれているので、折曲原稿の内面の画情報が読み取られることもない。さらに、規格されたカット紙サイズに満たない重ね合せ原稿も、上記折曲シートと同様に読み取ることが可能である。
【００３９】
なお、本実施の形態で示した両面読取用キャリアシート1の構成は一例にすぎず、図８に示す搬送路が直線の場合は、前記シート積層体は、長手方向の一方側の短辺と、短手方向の一方側の長辺の2辺において相互に貼り合わされたキャリアシートを用いても良く、本発明の要旨を逸脱しない範囲内で適宜設計変更できることは勿論である。
【図面の簡単な説明】
【００４０】
【図１】本発明の第一の実施形態の両面読取用キャリアシート１を示す斜視図である。
【図２】両面読取用キャリアシート１を示す平面図である。
【図３】折曲原稿7を示す斜視図である。
【図４】両面読取用キャリシート１に折曲原稿7を挟み込んだ状態を示す斜視図である。
【図５】ファクシミリなどの通信端末装置１０の斜視図を示す。
【図６】本発明の第二、第三の実施形態の両面読取用キャリアシート1ａ、1ｂを示す斜視図である。
【図７】本発明の第四の実施形態の両面読取用キャリアシート1ｃに折曲原稿７ａを挟み込んだ状態を示す斜視図である。
【図８】1回の搬送で原稿の表裏両面の読み取りを行うＡＤＦ１５ａの搬送路を示す図である。
【図９】従来のキャリアシート９を示す斜視図である。
【図１０】キャリアシート9に折曲原稿7を挟み込んだ状態を示す斜視図である。
【符号の説明】
【００４１】
１  両面読取用キャリアシート
２  透明シート
３  不透明シート
４  結合部
５  不透明シートの短手方向の一方側の長辺
７  折曲原稿
８  原稿の折曲部
【図１】
2006191292.tif 000003
【図２】
2006191292.tif 000004
【図３】
2006191292.tif 000005
【図４】
2006191292.tif 000006
【図５】
2006191292.tif 000007
【図６】
2006191292.tif 000008
【図７】
2006191292.tif 000009
【図８】
2006191292.tif 000010
【図９】
2006191292.tif 000011
【図１０】
2006191292.tif 000012